(57)【要約】本発明は、中心導体を含む同軸出力部から構成される磁電管出力装置を提供し、この出力はさらに、その中心導体に対して所定の位置に置かれるプレートから構成される。中心導体に対して固定位置にプレートを設置することは、磁電管と導波管の間の使用中の連結を改善する。
2005521200.tif 000002
【特許請求の範囲】
【請求項１】
中心導体を含む同軸出力部と、
前記中心導体に対して所定の位置に置かれるプレートと、
を備える磁電管出力装置。
【請求項２】
前記プレートの面が、前記同軸出力部の軸に対して実質的に垂直であるように配置される、
請求項1記載の装置。
【請求項３】
前記プレートが、前記中心導体の端から所定の距離に置かれる
請求項1又は請求項2記載の装置。
【請求項４】
前記プレートが、前記中心導体の端と所定量重なるように配置される縁部を持つ、
請求項1、2、3いずれか記載の装置。
【請求項５】
前記プレートの前記縁部は、実質的に前記中心導体の端の半分と重なるように配置される、
請求項4記載の装置。
【請求項６】
調整手段をさらに備える、請求項1、2、3、4、5いずれか記載の装置。
【請求項７】
実質的に、本添付図面の図3から図5を参照して、又は図3から図5で示すように、本出願で説明するような磁電管出力装置。
【請求項８】
請求項1、2、3、4、5、6、7いずれか記載の出力装置を含む磁電管。
【請求項９】
実質的に、本添付図面の図3及び図4を参照して、又は図3及び図4に示すように、本出願で説明するような磁電管。
【請求項１０】
磁電管出力装置の製造方法であって、
前記出力装置は、中心導体を持つ同軸出力部を含み、
前記中心導体に対して所定の位置にプレートを置くステップ、
を備えることを特徴とする方法。
【発明の詳細な説明】
【技術分野】
【０００１】
本発明は、磁電管装置に関するものであり、特に磁電管出力に関するものである。
【背景技術】
【０００２】
近年、重量節減及び必要な材料の削減を与える、コンパクトな磁電管装置に向けての動向がある。我々の係属中の英国特許出願第9930110.3号は、縦型配列構成で長方形導波管に連結される同軸出力部を持つ磁電管を開示する。本発明は、この磁電管装置の発展として生まれた。
【０００３】
(本発明の要約)
本発明は、中心導体を含む同軸出力部から構成され、この出力部はさらに、その中心導体に対して所定の位置に置かれるプレートから構成される、磁電管出力装置を提供する。
【０００４】
中心導体に対して固定位置にプレートを設置することは、磁電管と導波管の間の使用中の連結を改善する。
【０００５】
上述の特許出願では、中心導体を導波管の壁の縁部とほぼ一直線上に並べることにより、連結が改善されることを特定した。しかしながら、発明者達は、この利点がプローブの端と導波管の間の間隔にひどく依存していて、連結が導波管の端に含まれるフランジの形式に依って変えられるようになることを発見した。本発明は、プローブから所定の距離にある導波管壁をシミュレートして、用いられる導波管フランジの形式に関わらず、出力連結が実質的に同じであるようにする。
【０００６】
本発明は、中心導体を含む同軸出力部を持つ磁電管から構成され、さらにその中心導体に対して所定の位置に置かれたプレートから構成される磁電管装置を、さらに提供する。
【０００７】
ここで、添付の図面を参照して、例を介して、本発明を説明する。
【０００８】
(詳細な説明)
図1及び図2を参照すると、従来技術の磁電管装置は、典型的には、中心陰極3を取り囲む陽極2を持つ磁電管1から構成される。電源は、従来手法で磁電管1から取り出され、同軸出力部線4を伝って伝送される。同軸出力部線4の端はプローブ5で終端となり、これは長方形導波管7の端にある開口部6を通して延長される。
【０００９】
図1でわかるように、同軸出力部4は、縦型配列構成で長方形導波管7の端に連結される。「縦型配列構成」により、エネルギーが導波管7を伝って伝わる方向と同じ方向に、同軸出力部4が伸張することを意味しており、この方向は、図1で矢印で示される。図2でより明らかにわかるように、同軸出力部線4は、導波管7に対して、導波管の幅広の壁8の一方の縁部と、その壁の中心点でほぼ一直線になるように並べられる。
【００１０】
この形式の磁電管装置で遭遇し得る問題は、磁電管と導波管の間の連結は常に同じではなく、導波管の端に置かれた接合フランジ9の形式によって変化するように思われることである。
【００１１】
本発明に従って構成される出力装置を含む磁電管を、図3に示す。この図は、中心陰極12を取り囲む陽極11を持つ磁電管10を示している。前のように、電源は、ループによって磁電管から取り出され、同軸出力部線13を伝って伝送される。この同軸線は、中心導体14及び外側導体15から構成される。同軸出力部線13の端は、プローブ16で終端となる。電源は、縦型配列構成で配置される導波管17に伝送される。この導波管は、フランジ18で終端となる。
【００１２】
プローブ16の端と長方形導波管17の幅広の壁の間の距離が、導波管への連結の度合いに影響を及ぼし、従って、連結効率が用いられるフランジの形式に依存することを、発明者達は気付いた。
【００１３】
本発明に従って、磁電管出力装置は、同軸出力部線13の中心導体14の端に対して所定の位置に置かれたプレート要素19を含む。望ましくは、プレート要素の縁部20が、間隔のあいた位置関係でプローブのほぼ半分と重なるように配置されて、プレート要素が、長方形導波管の幅広の壁の効果をシミュレートするようにする。図4でわかるように、プレート要素19は、導波管から見えるように、プローブの端を効果的に二分する。従って、従来技術の「縦型配列」の配置の利点は保持されるが、しかし、プローブの端とプレート要素の間の距離が固定されるので、連結は最適化される。
【００１４】
本発明の更なる利点は、この磁電管出力装置の土台21が、如何なる形式の導波管フランジとも接合できるということである。
【００１５】
土台21は、長方形開口部22を含み、その一方の広い縁部は、プレート要素19の縁部20で形成される。この開口部は長方形である必要はなく、例えば、半円形(その半円形の底辺がプレート19の縁部20から構成されている)、楕円形、又は正方形とすることもできるであろう。
【００１６】
代替の磁電管出力装置を図5に示す。この出力装置は、図3及び4の出力と同じ特徴をもつが、しかしまた調整スタブ23も持つ。このスタブは、磁電管の出力を、磁電管の動作モードに応じて調整することを可能にする。
【００１７】
この出力装置は、磁電管と一体化されることができる、又は別個の製品とすることができる。この出力装置は、密閉することができる。
【図面の簡単な説明】
【００１８】
【図１】従来技術の磁電管及び導波管装置の断面平面図を、概略的に示している。
【図２】線A-A'に沿って、図1の装置を概略的に示している。
【図３】本発明に従って構成される出力装置を含む磁電管の断面平面図を示している。
【図４】線B-B'に沿って、図3の装置を概略的に示している。
【図５】本発明に従って構成される代替の出力装置を含む磁電管の断面平面図を、概略的に示している。
【図１】
2005521200.tif 000003
【図２】
2005521200.tif 000004
【図３】
2005521200.tif 000005
【図４】
2005521200.tif 000006
【図５】
2005521200.tif 000007
【国際調査報告】
2005521200.tif 000008
2005521200.tif 000009
2005521200.tif 000010